(57)【特許請求の範囲】
【請求項１】
水に浮く浮きとなるフロート部と、
前記フロート部の下部に連結されたフェンス部と、
前記フェンス部の下端に固定されたウェイト部と、
を備えるシルトフェンスであって、
水質の浄化作用を有する浄化手段を備えており、
前記浄化手段が、汚物の吸着作用を有する炭素繊維からなる浄化部材を備えると共に、前記浄化部材を、前記フェンス部または前記フロート部に対して交換可能に固定しており、
前記浄化部材をリング状の固定具に固定すると共に、前記固定具を脱着自在に前記フェンス部の上部または前記フロート部の下部に連結してなる水質浄化作用を有するシルトフェンス。
【請求項２】
水に浮く浮きとなるフロート部と、
前記フロート部の下部に連結されたフェンス部と、
前記フェンス部の下端に固定されたウェイト部と、
を備えるシルトフェンスであって、
水質の浄化作用を有する浄化手段を備えており、
前記浄化手段が、汚物の吸着作用を有する炭素繊維からなる浄化部材を備えると共に、前記浄化部材を、前記フェンス部または前記フロート部に対して交換可能に固定しており、
前記浄化手段が、複数の浄化部材と、前記複数の浄化部材が所定の間隔で脱着自在に固定された紐状の移送線材と、前記フェンス部の下部に配置されて、前記移送線材が掛けられた滑車とを備え、
前記移送線材は、中間部を折返し部として前記滑車に掛けると共に、前記折返し部から延びる一対の延長部を水面まで延長しており、一方の延長部に前記複数の浄化部材を脱着自在に固定してなることを特徴とする浄化作用を有するシルトフェンス。
【請求項３】
水に浮く浮きとなるフロート部と、
前記フロート部の下部に連結されたフェンス部と、
前記フェンス部の下端に固定されたウェイト部と、
を備えるシルトフェンスであって、
水質の浄化作用を有する浄化手段を備えており、
前記浄化手段が、汚物の吸着作用を有する炭素繊維からなる浄化部材を備えると共に、前記浄化部材を、前記フェンス部または前記フロート部に対して交換可能に固定しており、
前記浄化手段が、複数の浄化部材と、前記複数の浄化部材が所定の間隔で脱着自在に固定された紐状の移送線材と、前記フェンス部の上端部に配置されて、前記移送線材が掛けられた滑車とを備え、
前記移送線材は、中間部を折返し部として前記滑車に掛けると共に、前記折返し部から延びる一対の延長部を水面に沿って延長しており、一方の延長部に前記複数の浄化部材を脱着自在に固定してなることを特徴とする浄化作用を有するシルトフェンス。
【請求項４】
水に浮く浮きとなるフロート部と、
前記フロート部の下部に連結されたフェンス部と、
前記フェンス部の下端に固定されたウェイト部と、
を備えるシルトフェンスであって、
水質の浄化作用を有する浄化手段を備えており、
前記浄化手段が、汚物の吸着作用を有する炭素繊維からなる浄化部材を備えると共に、前記浄化部材を、前記フェンス部または前記フロート部に対して交換可能に固定しており、
さらに前記浄化手段に加えて、水質の浄化作用を有するサブ浄化手段を備えており、
前記サブ浄化手段が、汚物の吸着作用を有する炭素繊維からなる平面状のサブ浄化部材で、前記サブ浄化部材を前記フェンス部または前記フロート部に固定してなることを特徴とする浄化作用を有するシルトフェンス。
【請求項５】
請求項１〜４のいずれか一項に記載されるシルトフェンスであって、
前記浄化部材が、炭素繊維からなる１以上の紐状体、シート片、筒体のいずれか又は複数である水質浄化作用を有するシルトフェンス。
【発明の詳細な説明】
【技術分野】
【０００１】
本発明は、海、河川、湖沼、池、ダム等の沿岸や水底の土木工事の際に、工事領域の周辺水域の周りに設置されて、工事に伴って発生する汚濁が外部の水域に拡散されるのを防止するシルトフェンスであって、とくに、工事領域で発生する汚濁を浄化する作用を有するシルトフェンスに関する。
【背景技術】
【０００２】
海や河川、湖沼等において、護岸を整備したり、水底を浚渫する土木工事の際には、工事領域の水質が悪化する。とくに、油圧ショベル等の重機で水底や岸辺を掘削すると、水底の泥や土、へドロ等の沈殿物が掻き上げられて攪拌される結果、周辺水域に汚濁が発生して水質が汚染される。発生した汚濁が、工事領域の周辺水域だけでなく、さらに外部の広い水域にまで拡散すると、汚濁による環境悪化が懸念される。
【０００３】
このような工事領域からの汚濁の拡散を防止するために、工事領域の周囲には通常シルトフェンスが設置される。シルトフェンスは、水面に浮くフロート部と、このフロート部の下方に連結されたシート状のフェンス部と、フェンス部の下端に設けられた錘部と備え、沈降する錘部でフェンス部を上下に張設して、フェンス部を水中にスクリーン状に張設している。以上の構造のシルトフェンスは、フロート部を水面に浮遊させる状態で、フェンス部を水面から水底に向かって垂下させて設置して、工事領域の汚濁をフェンス部でブロックして、汚れが外部の水域に拡散するのを防止している。
【０００４】
以上のシルトフェンスは、土木工事中において、工事領域で発生する汚濁が外部の水域に拡散するのを防止する働きがある。しかしながら、従来のシルトフェンスは、工事が終了しても、直ちにシルトフェンスを撤去できない問題点がある。それは、工事終了後においても、工事領域の周辺水域には汚濁が残存しているからである。このため、工事が終了した後も、この水域の汚濁が改善されるまでシルトフェンスを撤去することができず、長期間にわたってシルトフェンスを設置した状態に保持する必要がある。従来のシルトフェンスには、汚濁の拡散を防止する作用しかないので、水域の汚濁が解消されるまで、汚濁の原因となる泥や土、汚れの微粒子等が水底に沈降して堆積するのを待つ必要がある。困ったことに、汚濁の原因となる泥や汚れの粒子は非常に細かい粒子のため、完全に堆積するまでには非常に時間がかかる。このため、汚濁された水域が綺麗になるまでの間は、工事が終了しているにもかかわらず、シルトフェンスを除去できず、シルトフェンスを他の現場に使用することもできなくなり、効率が非常に悪くなる。仮に時間が経過して汚濁が解消されたとしても、汚濁の原因となる物質が水底に堆積したに過ぎず、水質の実質的な改善には繋がっていない。
【０００５】
このように汚濁が発生した水域に、浄化作用を有する部材を設置することは可能である（例えば特許文献１参照）。ただ、特許文献１に記載される装置は、場所を取るため、作業性が悪くなるという欠点があった。
【先行技術文献】
【特許文献】
【０００６】
【特許文献１】特開２００９−１９５８５０号公報
【発明の概要】
【発明が解決しようとする課題】
【０００７】
本発明は、従来のこのような問題点に鑑みてなされたものであり、その目的の一は、簡単な構成としながら、水質の浄化作用を備えたシルトフェンスを提供することにある。
【課題を解決するための手段及び発明の効果】
【０００８】
上記の目的を達成するために、本発明の水質浄化作用を有するシルトフェンスによれば、水に浮く浮きとなるフロート部１と、フロート部１の下部に連結されたフェンス部２と、フェンス部２の下端に固定されたウェイト部３とを備えるシルトフェンスであって、さらに、水質の浄化作用を有する浄化手段４を備えており、この浄化手段４が、汚物の吸着作用を有する炭素繊維からなる浄化部材１３を備えると共に、浄化部材１３を、フェンス部２またはフロート部１に対して交換可能に配設している。
【０００９】
上記構成により、シルトフェンス自体に、汚物を吸着して水質を浄化する機能を付加することで、シルトフェンスを配置するのみで、浄化手段を別途用意することなく、シルトフェンスで囲まれた領域内の水質を浄化する機能を果たすことができ、コンパクトな構成で設置を容易にしつつ作業性の低下も回避した使い勝手のよいシルトフェンスが実現できる。とくに、このシルトフェンスは、浄化手段として、汚物の吸着作用を有する炭素繊維からなる浄化部材を、フェンス部またはフロート部に対して交換可能に配設しているので、汚物を吸着した浄化部材を新しいものと交換することで、経時的な浄化作用の低下を防止して、速やかに浄化作用を改善できる。したがって、工事等で汚濁が発生した領域の水質をより効果的に、しかも短時間で浄化できる。
【００１０】
本発明の水質浄化作用を有するシルトフェンスは、浄化部材１３を、炭素繊維からなる１以上の紐状体、シート片、筒体のいずれか又は複数とすることができる。
浄化部材を炭素繊維からなる１以上の紐状体又はシート片とする構造は、浄化部材を水中に配置する前には全体の体積をコンパクトにして、収納や搬送を容易にしながら、水中に浸漬した状態では、紐状体やシート片を拡開させて全体の表面積を大きくして、より効率よく汚物を吸着できる。また、浄化部材を炭素繊維からなる１以上の筒体とする構造は、水中に浸漬した状態で、全体の表面積を大きくして、より効率よく汚物を吸着できることに加えて、筒体の内部に水を通過させることで、筒体を形成する炭素繊維に効果的に微生物を生息させて、微生物の生分解作用による浄化を促進できる。
【００１１】
本発明の水質浄化作用を有するシルトフェンスは、浄化部材１３をリング状の固定具１４に固定すると共に、固定具１４を脱着自在にフェンス部２の上部またはフロート部１の下部に連結することができる。
上記構成により、複数の浄化部材をリング状の固定具に固定することで、浄化部材の扱いを簡単にできると共に、リング状の固定具を介して簡単に脱着できる。また、固定具をフェンス部の上部に連結する構造は、フェンス部の上部を水面に引き上げて簡単に交換できる。また、固定具をフロート部の下部に連結する構造は、水面近傍において、簡単に交換できる。
【００１２】
本発明の水質浄化作用を有するシルトフェンスは、浄化手段４が、複数の浄化部材１３と、複数の浄化部材１３が所定の間隔で脱着自在に固定された紐状の移送線材１７と、フェンス部２の下部に配置されて、移送線材１７が掛けられた滑車１８とを備え、移送線材１７が、中間部を折返し部として滑車１８に掛けられると共に、折返し部から延びる一対の延長部１７Ａ、１７Ｂを水面まで延長し、さらに、一方の延長部１７Ａに複数の浄化部材１３を脱着自在に固定することができる。
【００１３】
上記構成により、水中に配置された複数の浄化部材を簡単に交換できる特徴がある。それは、以上のシルトフェンスの浄化手段が、移送線材の中間部を折返し部としてフェンス部の下部に配置した滑車に掛けると共に、折返し部から水面まで延長された一対の延長部の一方に複数の浄化部材を所定の間隔で脱着自在に固定しているからである。この浄化手段は、浄化部材が固定された延長部を水面まで引き上げることで、延長部に固定された浄化部材を水中から引き上げて容易に取り外して交換できる。また、浄化部材を新しいものと交換した後、浄化部材が固定されない側の延長部を引き上げることで、浄化部材が固定された側の延長部を水中に沈降させて水中の定位置に配置できる。
【００１４】
さらに、このシルトフェンスは、交換可能な浄化部材を水中の深い場所に配置することも可能である。それは、滑車をフェンス部の下端部に設けることで、移送部材で移送される複数の浄化部材を水中の深い部位まで移動させることができるからである。したがって、このシルトフェンスは、汚濁された水域の水面付近から水底付近に至るまで、水中の広い範囲にわたって複数の浄化部材を交換可能な状態で配置して、より広い範囲を理想的に浄化できる。
【００１５】
本発明の水質浄化作用を有するシルトフェンスは、浄化手段４が、複数の浄化部材１３と、複数の浄化部材１３が所定の間隔で脱着自在に固定された紐状の移送線材１７と、フェンス部２の上端部に配置されて、移送線材１７が掛けられた滑車１８とを備え、移送線材１７が、中間部を折返し部として滑車１８に掛けられると共に、折返し部から延びる一対の延長部１７Ａ、１７Ｂを水面に沿って延長し、さらに、一方の延長部１７Ａに複数の浄化部材１３を脱着自在に固定することができる。
【００１６】
上記構成により、水面近くに複数の浄化部材を所定の間隔で配置しながら、これ等の浄化部材を簡単に交換できる特徴がある。それは、以上のシルトフェンスの浄化手段が、移送線材の中間部を折返し部としてフェンス部の上端部に配置した滑車に掛けると共に、折返し部から水面に沿って延長された一対の延長部の一方に複数の浄化部材を所定の間隔で脱着自在に固定しているからである。この浄化手段は、浄化部材が固定された延長部を水面に沿って引っ張ることで、延長部に固定された浄化部材を移動させて容易に取り外して交換できる。また、浄化部材を新しいものと交換した後、浄化部材が固定されない側の延長部を引っ張ることで、浄化部材が固定された側の延長部を水面に沿って移動させて水面近くの定位置に配置できる。したがって、この浄化手段は、水面近くに配置された複数の浄化部材を交換する際に、ユーザーが水面上を移動することなく、すなわち、ボートを一箇所に停止させた状態で、浄化手段を操作して複数の浄化部材を簡単かつ能率良く交換できる。
【００１７】
本発明の水質浄化作用を有するシルトフェンスは、浄化手段４に加えて、水質の浄化作用を有するサブ浄化手段５を備えることができる。このサブ浄化手段５は、汚物の吸着作用を有する炭素繊維からなる平面状のサブ浄化部材２４とし、このサブ浄化部材２４をフェンス部２またはフロート部１に固定することができる。
【００１８】
上記構成により、交換可能な浄化部材を備える浄化手段に加えて、サブ浄化手段を備えて、このサブ浄化手段を炭素繊維からなる平面状のサブ浄化部材として、フェンス部またはフロート部に固定することで、シルトフェンスの浄化作用を向上できる。とくに、このサブ浄化手段を平面状とすることで、全体の体積を小さく抑制しながら、水中の広い面積にわたってより効果的に浄化できる。
【図面の簡単な説明】
【００１９】
【図１】本発明の一実施例にかかる水質浄化作用を有するシルトフェンスの使用状態を示す平面図である。
【図２】本発明の一実施例にかかる水質浄化作用を有するシルトフェンスの使用状態を示す断面図である。
【図３】図２に示すシルトフェンスの正面図である。
【図４】図２に示すシルトフェンスの浄化ユニットを交換する状態を示す断面図である。
【図５】浄化ユニットの一例を示す正面図である。
【図６】本発明の他の実施例にかかるシルトフェンスの正面図である。
【図７】本発明の他の実施例にかかるシルトフェンスの正面図である。
【図８】本発明の他の実施例にかかるシルトフェンスの正面図である。
【図９】図８に示すシルトフェンスの使用状態を示す断面図である。
【図１０】図８に示すシルトフェンスの浄化手段の連結構造を示す拡大図である。
【図１１】本発明の他の実施例にかかるシルトフェンスの正面図である。
【図１２】本発明の他の実施例にかかるシルトフェンスの正面図である。
【図１３】本発明の他の実施例にかかるシルトフェンスの正面図である。
【発明を実施するための形態】
【００２０】
以下、本発明に係る実施形態及び実施例を、図面に基づいて説明する。ただし、以下に示す実施形態及び実施例は、本発明の技術思想を具体化するための水質浄化作用を有するシルトフェンスを例示するものであって、本発明は、シルトフェンスを以下のものに特定しない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２１】
本発明のシルトフェンスは、海、河川、湖沼、池、ダム等の沿岸や水底の土木工事において、工事領域の周辺水域の周りに設置されて、工事に伴って発生する汚濁が外部の水域に拡散されるのを防止する。さらに、本発明のシルトフェンスは、汚濁が外部に拡散するのを防止することに加えて、汚濁が発生した水域の水質を浄化する浄化作用を有している。なお、本明細書において、海、河川、湖沼、池、ダム等の沿岸や水底で行われる土木工事とは、護岸工事、浚渫工事、埋め立て工事、港湾工事、改修工事等の種々の工事を含む広い意味で使用する。
【００２２】
本発明のシルトフェンスは、図１に示すように、沿岸で施工される土木工事により工事領域５１の周辺水域５２の汚濁が外部に拡散するのを防止するために、工事領域５１の周囲に沿って設置される。図１は、海岸で土木工事が行われる際に、この工事領域５１の周辺水域５２を囲む状態でシルトフェンス１０１を設置して、工事領域５１の周辺水域５２と外部の海域とを遮断する状態を示している。ここで、工事領域５１の周辺水域５２であって、シルトフェンス１０１に囲まれる周辺水域５２は、工事により発生する汚濁が拡散される汚濁領域となる。シルトフェンス１０１は、汚濁領域の汚濁が外部に拡散するのを防止している。
【００２３】
図１ないし図３に示すシルトフェンス１０１は、水に浮く浮力を有するフロート部１と、このフロート部１の下部に連結されて水面から水底に向かって配置されたフェンス部２と、フェンス部２の下端に連結されたウェイト部３と、汚濁領域の水質を浄化する浄化作用を有する浄化手段４とを備えている。
【００２４】
図１に示すシルトフェンス１０１は、工事領域５１の周辺水域５２を完全にカバーできる全長を有している。すなわち、フロート部１、フェンス部２、及びウェイト部３の全長を、工事領域５１の周辺水域５２をカバーできる全長として、工事領域５１から発生する汚濁を周辺水域５２内で封じ込めて、外部の水域に広がるのを防止している。このシルトフェンス１０１は、図１に示すように、工事領域５１から所定の距離だけ離れた位置に配置される。シルトフェンス１０１を周辺水域５２の定位置に固定するために、図１に示すシルトフェンス１０１は、所定の全長を有するフロート部１の中間部の複数箇所に、サブフロート３１とアンカー３２を連結して固定している。図１と図２に示すシルトフェンス１０１は、フロート部１の両側に上部ワイヤー等の連結線材３３を介してサブフロート３１を連結すると共に、これ等のサブフロート３１に、アンカーワイヤー８を介してアンカー３２を固定している。アンカー３２は水底に設置する状態で配置されており、その自重によって、シルトフェンス１０１を定位置に保持して、シルトフェンス１０１が潮流やうねり、干満等で移動するのを防止している。
【００２５】
（フロート部１）
フロート部１は、図３に示すように、水に浮く浮力を有する浮き部材１１を備えている。浮き部材１１には、円柱状の発泡スチロールや中空状のプラスチック容器等の大きな浮力を有する部材が使用できる。フロート部１は、発泡スチロールやプラスチック容器からなる浮き部材１１をカバー部１２で被覆して定位置に保持している。カバー部１２は、例えば、可撓性を有するシート材を筒状に形成したもので、内部に浮き部材１１を収納すると共に、複数個の浮き部材１１を長さ方向に数珠状に連結してフロート部１としている。
【００２６】
フロート部１は、筒状のカバー部１２に収納される複数の浮き部材１１を隙間なく配置することができる。このフロート部１は、水面上からの汚濁の拡散を確実に防止できる。ただ、フロート部１は、筒状のカバー部１２に収納される複数の浮き部材１１を多少の隙間を設けて配置することもできる。このフロート部１は、隣接する浮き部材１１の間の隙間において、容易に折曲させることができ、水面上に設置されるフロート部１の自由度を向上できる。図３に示すフロート部１は、浮き部材１１の両端面のコーナー部を湾曲面状に面取りしており、隣接する浮き部材１１の境界においてフロート部１を折曲し易くしている。
【００２７】
（フェンス部２）
フェンス部２は、水中にスクリーン状に配置されるシート材で、水面から水底にわたって配置されて周辺水域５２の汚濁が外部に拡散するのを防止する。フェンス部２は、好ましくは液体成分は透過させるが、固体成分は通過させないシート材が使用できる。このようなシート材として、例えば、ポリエステル等のプラスチック繊維を所定の大きさの目となるように形成された織物シートや編物シート、あるいはプラスチックシートが使用できる。ただ、フェンス部２には、液体成分を透過させない非透水性シートを使用することもできる。
【００２８】
フェンス部２は、周辺水域５２の汚濁が外部に拡散するのを防止するために、好ましくは水面から水底まで延長された上下幅（Ｈ）を有する。さらに、フェンス部２は、図２に示すように、水中に上下方向に配置された状態で前後方向にたわむことができるように、可撓性を有することが好ましい。可撓性を有するフェンス部２は、図４に示すように、海で使用される場合においては、潮の干満やうねり等によって海面が上下動することがあるが、このような場合においても下端のウェイト部３が海底から離れることがないように、十分な上下幅（Ｈ）を有することが好ましい。たとえば、干潮時における水深（Ｄ２）を５ｍとする海域においては、この水深（Ｄ２）よりも１ｍ以上、好ましくは３ｍ以上大きな上下幅（Ｈ）とする。これにより、下端に設けたウェイト部３が海底から離れて、この隙間から汚濁が外部に漏れるのを防止できる。以上のように、フェンス部２は、これを使用する海域の水深や潮の干満等を考慮して最適な上下幅とすることができる。
【００２９】
（ウェイト部３）
ウェイト部３は、フェンス部２の下端縁に沿って設けられた錘である。ウェイト部３は、自重で水底まで沈降すると共に、フェンス部２の下端を下方に引っ張って水底まで沈降させる比重を有する。このようなウェイト部３として金属製のチェーンが使用できる。金属製のチェーンであるウェイト部３は、複数のリングを連結することで、自由な形状に変形可能であって、水底に沿って敷設される状態で、水底面との間に隙間を生じさせることなく理想的に沈降できる。このような金属として、鉄や鉛等の比重の大きな金属が使用できる。とくに、鉄製のチェーンは汎用性に優れて安価で加工が簡単である。
【００３０】
チェーンであるウェイト部３は、図３に示すように、複数箇所がフェンス部２の下端に連結されてフェンス部２に固定される。以上のウェイト部３は、水底に接触するまで沈降することでフェンス部２の下端を水底まで沈降させて、シート状のフェンス部２を水中にスクリーン状に広げた状態で配置することができる。
【００３１】
図３に示すシルトフェンス１０１は、フロート部１、フェンス部２、及びウェイト部３からなるフェンスユニットを形成しており、このフェンスユニットを複数連結することで、図１に示すように、工事領域５１の周辺水域５２全体をカバーできる全長に形成される。フロート部１は、複数の浮き部材１１を収納してなるカバー部１２の対向する端縁が互いに連結される。フェンス部２は対向する側縁が互いに連結される。ウェイト部３は、対向する端縁を互いに連結することができる。このような連結には、図示しないが、ロープや連結金具等が使用できる。
【００３２】
（浄化手段４）
浄化手段４は、汚濁領域である周辺水域５２側に配置されて、汚濁水域の水質を浄化する。図３と図５に示す浄化手段４は、汚物の吸着作用を有する炭素繊維からなる浄化部材１３を備えており、この浄化部材１３をフェンス部２に対して交換可能に配設している。炭素繊維には、一般に水質浄化材として用いられているもの、例えば、ＰＡＮ系の繊維が使用される。この炭素繊維には、微細なカーボンファイバーを集めて束にしたものを使用する。ただ、炭素繊維には、一般工業用のものを水質浄化材として加工したものも使用できる。
【００３３】
図に示す浄化部材１３は、炭素繊維からなる複数の紐状体１３Ａで構成している。紐状体１３Ａである炭素繊維は、水中において、細い繊維の１本１本が広がることにより、表面積を広くして汚物の吸着効果を向上できる特徴がある。ただ、浄化部材１３は、炭素繊維の紐状体１３Ａには特定しない。浄化部材は、図示しないが、炭素繊維をシート状に形成したシート材を所定のサイズに裁断してなる複数のシート片で構成することもできる。浄化部材１３を炭素繊維からなる複数の紐状体１３Ａやシート片とする構造は、浄化部材１３を水中に配置する前には、全体の体積をコンパクトにして収納や搬送を容易にでき、水中に浸漬した状態では、紐状体１３Ａやシート片を拡開させて全体の表面積を大きくして効率よく汚物を吸着できる。さらに、浄化部材は、図示しないが、炭素繊維からなるシート材を筒状に形成したものとすることもできる。浄化部材を炭素繊維からなる筒体とする構造は、水中に浸漬した状態で、全体の表面積を大きくして、より効率よく汚物を吸着できることに加えて、筒体の内部に水を通過させることで、炭素繊維に効果的に微生物を生息させて、微生物の生分解作用による浄化を促進できる。さらに、浄化部材１３は、紐状体、シート片、筒体を組み合わせたものも使用できる。
【００３４】
図３と図５に示す浄化手段４は、複数の紐状体１３Ａからなる浄化部材１３をリング状の固定具１４に固定して浄化ユニット１５としている。浄化ユニット１５は、固定具１４に固定される紐状体１３Ａの長さを長くして数を多くすることで浄化作用を向上できる。ただ、紐状体１３Ａを長くして数を多くするとコストが高くなる。したがって、浄化ユニットは、これ等のことを考慮して固定具１４に固定する紐状体１３Ａの長さや数を調整する。図５に示す浄化ユニット１５は、複数の紐状体１３Ａを固定具１４に房状に固定している。この浄化ユニット１５は、固定具１４をリング状とすることで、房状に連結される複数の紐状体１３Ａを水中において速やかに広げることができる。さらに、図５に示す固定具１４は、リングの一部を開閉可能な可動片１４Ａとしており、この可動片１４Ａを開いた状態で、フェンス部２に設けた連結部１６に簡単に脱着できるようにしている。この固定具１４は、浄化ユニット１５の交換を、簡単かつ速やかにできる。以上のように複数の浄化部材１３をリング状の固定具１４に固定すると共に、この固定具１４を介して脱着自在にフェンス部２に連結する構造は、複数の浄化部材１３をリング状の固定具１４に固定することで、複数の浄化部材１３の扱いを簡単にできると共に、リング状の固定具１４を介して簡単に脱着できる。ただ、複数の浄化部材を固定する固定具は、必ずしも以上の構造には限定しない。固定具は、複数の浄化部材を固定できる他の全ての部材が使用できる。
【００３５】
フェンス部２は、その上部に、浄化ユニット１５の固定具１４を脱着自在に連結するための連結部１６を設けている。図３に示すフェンス部２は、短冊状のシート材を中間で折り返すと共に、両端部を積層してフェンス部２に縫着して輪状の連結部１６を設けている。この構造は、簡単な構造で固定具１４を連結可能な連結部１６を設けることができる。ただ、連結部は、以上の構造には特定せず、浄化ユニットの固定具を脱着自在に連結できる他の全ての構造、例えば、紐体や線材をループ状に固定したものや、リング状の連結具を固定したものも採用できる。
【００３６】
以上のシルトフェンス１０１は、図４の（ｃ）に示すように、フェンス部２の上端部を水面まで引き上げることによって、フェンス部２に固定された浄化ユニット１５を交換する。したがって、浄化手段４は、浄化ユニット１５をフェンス部２の上部に配置している。図３のフェンス部２は、浄化ユニット１５を連結する連結部１６を設ける位置であって、フェンス部２の上端からの距離（ｄ）をフェンス部２の上下幅（Ｈ）の約１／３としている。ただ、連結部１６を設ける位置は、フェンス部２の上端からの距離（ｄ）がフェンス部２の上下幅（Ｈ）の１／２以内となる位置とすることができる。さらに、図４の（ｃ）に示すシルトフェンス１０１は、フェンス部２の下端を水底から離すことなく浄化ユニット１５を交換できる位置に浄化ユニット１５を固定している。
なお、図４において、（ａ）は満潮時であって海面が上昇した状態を、（ｂ）と（ｃ）は干潮時であって海面が下降した状態をそれぞれ示している。
【００３７】
浄化ユニット１５の固定位置は、フェンス部２の上下幅（Ｈ）や使用する海域の水深（Ｄ１、Ｄ２）、潮の干満による海面差（Ｄ１−Ｄ２）等により最適な位置とすることができる。例えば、干潮時に水深（Ｄ２）が５ｍとなる海域で使用する場合、フェンス部２の上下幅を８ｍとすると、満潮時において水深（Ｄ１）が６ｍとなったとしても、まだ２ｍの余裕があるため、海のうねりが１ｍ以上あっても、下端のウェイト部３が海底から離れることがない。また、干潮時においては、ウェイト部３が水底から離れるまでには３ｍの余裕があるため、フェンス部２の上部に連結された浄化部材１３を海面から引き上げて交換できる。すなわち、水深５ｍの状態ではフェンス部２の上部３ｍの位置までに連結された浄化部材１３を海面まで引き上げながら交換できる。以上のように、フェンス部２は、これを使用する海域の水深や潮の干満等を考慮して最適な上下幅（Ｈ）とすると共に、最適な位置に浄化部材１３を固定することができる。
【００３８】
さらに、図３の浄化手段４は、複数の浄化ユニット１５を、フェンス部２の上部に所定の配列で配置している。ここで、シルトフェンス１０１は、フェンス部２に設ける浄化ユニット１５の数を多くすることで、水質の浄化作用を向上できる。ただ、フェンス部２に設ける浄化ユニット１５は、数が多過ぎるとコストが高くなると共に、多数の浄化ユニット１５の交換に手間がかかり、必ずしも経済的ではない。したがって、浄化手段４は、フェンス部２に配設する浄化ユニット１５の数や配列を調整して、浄化ユニット１５の単位あたりの浄化効率とコストをバランスしている。
【００３９】
図３に示す浄化手段４は、フェンス部２の上部おいて、水平方向に所定の間隔（ｋ）で複数の浄化手段４を配設している。浄化手段４は、前述のように、浄化効率とコストを考慮して、フェンス部の横幅（Ｗ）に対して水平方向に配置する浄化ユニット１５の個数と間隔（ｋ）を決定する。さらに、図３に示す浄化手段４は、水平方向に１列に複数の浄化ユニット１５を配置しているが、浄化手段は、上下方向に複数列にわたって浄化ユニットを配置することもできる。上下に複数列に配置される浄化ユニットは、マトリクス状に配置することも、上下に交互に設けて千鳥状に配置することもできる。
【００４０】
以上のシルトフェンス１０１は、図４に示すようにして浄化部材１３を交換する。図４の（ａ）に示す満潮時においては、水中に張設されたフェンス部２の下端に連結されたウェイト部３は海底に接触するが、水深が深いため、フェンス部２の下端部のたわみ量が少なくなる。このため、海面が上昇している状態では、好ましくは浄化ユニット１５は交換しない。ただ、浄化ユニット１５の連結位置がフェンス部２の上端に近く、浄化ユニット１５を交換可能な位置までフェンス部２の上部を引き上げても下端のウェイト部３が海底から離れない場合には、浄化ユニット１５を交換することもできる。また、フェンス部２の上部を引き上げる状態で、ウェイト部３が海底から離れる状態であっても、この部分からの汚濁の拡散が少ない場合には浄化ユニット１５を交換してもよい。
【００４１】
図４の（ｂ）に示す干潮時においては、水深が浅くなるので、水中に張設されたフェンス部２の下端部のたわみ量は大きくなる。このため、海面が下降している状態では、図４の（ｃ）で示すように、浄化ユニット１５を交換可能な位置までフェンス部２の上部を引き上げても下端のウェイト部３が海底から離れることはない。このように、ウェイト部３が海底から離れない状態では、この部分からの汚濁の拡散は阻止される。したがって、このシルトフェンス１０１は、好ましくは、干潮時等の海面が下降しているタイミングにおいて浄化ユニット１５を交換する。
【００４２】
以上の浄化手段４は、複数の浄化ユニット１５をフェンス部２の上部に脱着自在に固定している。この浄化手段４は、例えば、水面から数十ｃｍ〜数ｍと浅い水深部分に浄化ユニット１５が配置されて、浅い部分に浮遊する汚物を効果的に吸着できる。また、この浄化手段４は、フェンス部２の上部を水面に引き上げて、浄化ユニット１５が交換される。
【００４３】
さらに、浄化手段４は、図６に示すように、浄化ユニット１５をフェンス部２の上端に固定し、あるいは、図示しないが、浄化ユニット１５をフロート部１の下部に固定することができる。フロート部に固定される浄化ユニットは、例えば、フロート部のカバー部に固定具用の連結部を設けて、浄化ユニットを脱着自在に固定できる。図６に示す浄化手段４は、複数の浄化ユニット１５をフェンス部２の上端に沿って配置している。浄化ユニット１５をフェンス部２の上端、あるいは、フロート部１に固定する構造は、水面近くに配置される浄化部材１３によって、水面近くに浮遊する汚物をより効果的に吸着できる。とくに、土木工事で発生する多量の浮遊汚物を効率よく付着させて浄化できる。また、水面近くに配置される浄化ユニット１５は、フェンス部２を引き上げることなく、水面近傍において簡単に交換できる特徴もある。
【００４４】
さらに、浄化手段４は、図７に示すように、複数の浄化ユニット１５をフェンス部２に複数列に配置することもできる。図に示す浄化手段４は、複数の浄化ユニット１５をフェンス部２の上端と上端から離間した位置の２列に配置している。さらに、図の浄化手段４は、フェンス部２の上端に配置される浄化ユニット１５と、上端から離間して配置される浄化ユニット１５の左右の位置をずらせて、上下に交互に配置している。この構造は、水面近くに配置される浄化部材１３によって、水面近くに浮遊する汚物を吸着しながら、浅い水深部分に配置される浄化ユニット１５によって、浅い部分に停滞する汚物も効果的に吸着できる。このように、浄化手段４は、配置する浄化ユニット１５の個数や上下位置、間隔等を種々に変更して、シルトフェンスの設置場所に最適な浄化能力を付加することができる。
【００４５】
以上のシルトフェンス１０１は、取り外された浄化ユニット１５の浄化部材１３を水洗いすることで再使用できる。取り外された浄化ユニット１５の浄化部材１３は、これを構成する炭素繊維の表面に、吸着した汚物やシルトが付着している。この浄化部材１３は、水洗いによって汚れ成分が除去される。汚れ成分が除去された浄化部材１３は、汚物の吸着力が改善されて再利用される。このように、浄化部材１３を再利用することにより、ランニングコストを低減しながら優れた浄化作用を実現できる。
【００４６】
（浄化手段の他の例）
さらに、シルトフェンス１０１は、浄化手段４を以下の構造とすることもできる。図８と図９に示す浄化手段４は、複数の浄化部材１３と、複数の浄化部材１３が所定の間隔で脱着自在に固定された紐状の移送線材１７と、フェンス部２の下部に配置されて、移送線材１７が掛けられた滑車１８とを備えている。移送線材１７は、中間部を折返し部として滑車１８に掛けると共に、折返し部から延びる一対の延長部１７Ａ、１７Ｂを水面まで延長し、さらに、一方の延長部１７Ａに複数の浄化部材１３を脱着自在に固定している。
【００４７】
図８と図９に示す浄化手段４は、移送線材１７に脱着自在に固定される浄化部材１３として、図５に示す前述の浄化ユニット１５を使用している。すなわち、炭素繊維からなる紐状体１３Ａである浄化部材１３を固定具１４に固定して浄化ユニット１５としている。図の浄化手段４は、滑車１８に掛けられた移送線材１７の一方の延長部１７Ａに、複数の浄化ユニット１５を脱着自在に固定している。複数の浄化ユニットは、上下方向に離間して所定の間隔で固定されている。この浄化手段４は、浄化効率とコストを考慮して、フェンス部２の上下幅（Ｈ）に対して上下方向に配置する浄化ユニット１５の個数と間隔（ｋ）を決定する。
【００４８】
浄化手段４は、複数の浄化ユニット１５が固定される移送線材１７をロープとしている。ロープである移送線材１７は、中間部を滑車１８に掛ける状態で水中に配置されている。図８の移送線材１７は、一方の延長部１７Ａ（図において左側）には複数の浄化ユニット１５を所定の間隔（ｋ）で連結しながら水面まで延長し、他方の延長部１７Ｂ（図において右側）はそのまま水面まで延長している。ロープである移送線材１７は、例えば、図１０の拡大図に示すように、連結リング１９を挿通して固定すると共に、この連結リング１９に浄化ユニット１５の固定具１４を脱着自在に連結できるようにしている。図に示す浄化手段４は、連結リング１９を金属リングとするが、連結リング１９はロープに固定された紐体をリング状に形成したものとすることもできる。
【００４９】
滑車１８は、図８と図９に示すように、フェンス部２の下端部に、垂直面内で回転できるように固定されている。滑車１８は、外周面に移送線材１７を案内する嵌入溝１８Ａが設けられており、この嵌入溝１８Ａに案内された移送線材１７を移動させる状態で回転できるように、回転軸２０を介してフェンス部２に固定されている。さらに、滑車１８に掛けられた移送線材１７が嵌入溝１８Ａから外れないように、滑車１８の下側半分には正面視半円状の滑車カバー２１が設けられている。この滑車カバー２１は、滑車１８に掛けられた移送線材１７の一方の延長部１７Ａ（１７Ｂ）を上方に引っ張る状態では、滑車１８をスムーズに回転させて、かつ滑車１８から移送線材１７が外れるのを防止する。滑車１８及び滑車カバー２１は、例えば、ステンレス等の金属製で、自重により水中に沈降する比重としている。このように、水中において沈降する滑車１８及び滑車カバー２１により、滑車１８に掛けられた移送線材１７は水面から水底に向かって張設された状態で配置される。ただ、滑車と滑車カバーはプラスチック製とすることもできる。滑車と滑車カバーをプラスチック製とする構造は、下端に錘を設けることで水中で沈降させることができる。
【００５０】
滑車１８は、図９の一部拡大図に示すように、水中に吊り下げられた状態では、回転軸２０が水平姿勢となるように配置されている。このことを実現するために、滑車１８の回転軸２０は、図８と図９の一部拡大図に示すように吊り下げバンド２２を介して吊り下げられている。すなわち、滑車１８の回転軸２０は、直接にフェンス部２に固定されることなく、吊り下げバンド２２を介してフェンス部２に固定されている。この構造は、水中において自重で落下する滑車１８の回転軸２０を、滑車１８の両側において吊り下げバンド２２で支承するので、回転軸２０を確実に水平姿勢に保持できる。
【００５１】
滑車１８の位置は、水底に近いほど、浄化部材を水中の深い位置まで移送できる。ただ、滑車１８は、図９の（ｂ）で示すように水底に接触すると、正しく駆動しなくなるおそれがある。したがって、滑車１８は、図８に示すように、フェンス部２の下部であって、好ましくはフェンス部２の下端よりもある程度上方に配置される。滑車１８の固定位置は、図９の（ａ）に示すように、少なくとも満潮時等の海面の上昇位置において、海底に接触しない位置とすることができる。図８のフェンス部２は、滑車１８を配置する位置であって、フェンス部２の下端からの距離（ｔ）をフェンス部２の上下幅（Ｈ）の約１／６としている。ただ、滑車１８を設ける位置は、フェンス部２の下端からの距離（ｔ）がフェンス部２の上下幅（Ｈ）の１／２以内、好ましくは１／４以内となる位置とすることができる。
【００５２】
さらに、水面まで延長された移送線材１７の両端部を固定するために、水面近くにはリング２３が配置されている。滑車１８から水面まで延長された延長部１７Ａ、１７Ｂは、水面近くにおいてこのリング２３に挿通されている。図に示すリング２３は、略円形であって、浄化ユニット１５の交換時に、浄化ユニット１５を通過できる内形としている。このリング２３は、一端がフェンス部２の上端又はフロート部１に連結されており、このリング２３に移送線材１７の上端部を挿通して連結することで、移送線材１７の両端部の位置を把握しながら管理することができる。移送線材１７の両端部は、例えば、リングに結びつけて、あるいは連結具を介してリングに固定することができる。
【００５３】
以上の浄化手段４は、浄化ユニット１５を交換する際には、複数の浄化ユニット１５が固定された延長部１７Ａを上方に引っ張って浄化ユニット１５を水面まで引き上げることで、浄化ユニット１５を取り外して簡単に交換できる。また、浄化ユニット１５を新しいものと交換した後、浄化ユニット１５が固定されない側の延長部１７Ｂを上方に引っ張ることで、浄化ユニット１５が固定された側の延長部１７Ａを水中に沈降させて、浄化ユニット１５を水中の定位置に配置できる。なお、以上のように浄化ユニット１５を交換する場合は、図９の（ａ）で示すように、満潮時等のように海面が上昇位置にあるタイミングであって、少なくとも滑車１８が水底に接触していない状態で行うことが好ましい。
【００５４】
さらに、シルトフェンス１０１は、浄化手段４を、図１１に示す構造とすることもできる。図１１に示す浄化手段４は、複数の浄化部材１３が所定の間隔で脱着自在に固定された紐状の移送線材１７を、水面近くにおいて、フェンス部２の上端に沿って配置している。図の浄化手段４は、複数の浄化部材１３と、複数の浄化部材１３が所定の間隔で脱着自在に固定された紐状の移送線材１７と、フェンス部２の上端部に配置されて、移送線材１７が掛けられた滑車１８とを備えている。図の浄化手段４は、フェンス部２の上端部であって左右の一端（図においては左端）に位置して、滑車１８を固定している。移送線材１７は、中間部を折返し部として滑車１８に掛けると共に、折返し部から延びる一対の延長部１７Ａ、１７Ｂを水面に沿って左右の他端（図においては右端）まで延長し、さらに、一方の延長部１７Ａに複数の浄化部材１３を脱着自在に固定している。
【００５５】
図１１に示す浄化手段４も、移送線材１７に脱着自在に固定される浄化部材１３として、前述の浄化ユニット１５を使用している。複数の浄化ユニット１５は、左右方向に離間して所定の間隔（ｋ）で固定されている。この浄化手段４も、浄化効率とコストを考慮して、左右方向に配置する浄化ユニット１５の個数と間隔（ｋ）を決定する。図１１の移送線材１７は、一方の延長部１７Ａ（図において下側）には複数の浄化ユニット１５を所定の間隔（ｋ）で連結しながらフェンス部２の他端（図において右端）まで延長し、他方の延長部１７Ｂ（図において上側）はそのまま他端（図において右端）まで延長している。
【００５６】
滑車１８は、フェンス部２の上端部に、垂直面内で回転できるように固定されている。この滑車１８には、前述の滑車と同じものが使用できる。滑車１８は、外周面に設けた嵌入溝に案内された移送線材１７を移動させる状態で回転できるように、回転軸２０を介してフェンス部２に固定されている。さらに、滑車１８に掛けられた移送線材１７が嵌入溝から外れないように、滑車１８の片側（図においては左側）半分には正面視半円状の滑車カバー２１が設けられている。この滑車カバー２１は、滑車１８に掛けられた移送線材１７の一方の延長部１７Ａ（１７Ｂ）を滑車１８から離れる方向に引っ張る状態では、滑車１８をスムーズに回転させて、かつ滑車１８から移送線材１７が外れるのを防止する。滑車１８の位置は、水面に近いほど、浄化部材１３を水面近くに配置して、水面付近に浮遊する汚物を効果的に吸着でき、また、移送線材１７に連結された浄化ユニット１５の交換が容易になる。したがって、滑車１８は、フェンス部２の上端から回転軸２０までの距離（ｄ）が、数ｃｍ〜数十ｃｍとなる位置に配置される。
【００５７】
さらに、水面に沿って延長された移送線材１７の両端部を固定するために、フェンス部の上端部の他端（図において右端）にはリング２３が配置されている。滑車１８が固定された位置からフェンス部２の他端まで水面に沿って延長された延長部１７Ａ、１７Ｂは、このリング２３に挿通されて固定される。移送線材１７の両端部は、例えば、リング２３に結びつけて、あるいは連結具を介してリング２３に固定することができる。
【００５８】
以上の浄化手段４は、浄化ユニット１５を交換する際には、リング２３の近傍にボートを停止させると共に、その停止位置からボートを移動させることなく、複数の浄化ユニット１５を能率良く交換することができる。この浄化手段４は、リング２３の近傍において、複数の浄化ユニット１５が固定された延長部１７Ａを引っ張って浄化ユニット１５をボートまで引き寄せることで、浄化ユニット１５を順次取り外して簡単に交換できる。また、浄化ユニット１５を新しいものと交換した後、浄化ユニット１５が固定されない側の延長部１７Ｂを引っ張ることで、浄化ユニット１５が固定された側の延長部１７Ａをフェンス部の反対側まで移動させて、浄化ユニット１５を水面に沿って所定の間隔で配置できる。なお、以上の浄化手段４を用いて浄化ユニット１５を交換する場合は、潮の干満等の条件に左右されることなく行うことができる。
【００５９】
（サブ浄化手段５）
さらに、シルトフェンス１０１は、交換可能な浄化手段４に加えて、水質の浄化作用を有するサブ浄化手段５を備えることができる。このサブ浄化手段５は、汚物の吸着作用を有する炭素繊維からなる平面状のサブ浄化部材２４で構成される。図１１〜図１３に示すシルトフェンス１０１は、浄化作用を促進する平面状のサブ浄化部材２４として炭素繊維からなる浄化シートをフェンス部２に固定している。浄化シートであるサブ浄化部材２４は、フェンス部２の表面であって、汚濁領域である周辺水域５２側に配置される。このような浄化シートとして炭素繊維をシート状に成形したもの、例えば織物シートや編物シートが使用できる。ただ、平面状のサブ浄化部材には、炭素繊維からなる網材等も使用できる。さらに、以上のサブ浄化部材２４は、図示しないが、フロート部１に固定することも、フェンス部２とフロート部１の両方に固定することもできる。炭素繊維のシート材や網材からなるサブ浄化部材２４は、例えば、フェンス部２を構成するシート材やフロート部１のカバー部１２に縫い付けることによって簡単に固定できる。
【００６０】
以上のサブ浄化部材２４は、フェンス部２やフロート部１に対して、交換できないように固定される。したがって、サブ浄化部材２４は、シルトフェンスを設置する最初から、除去される最後まで交換されることなく水中に配置される。このシルトフェンス１０１は、サブ浄化部材２４を前述の浄化部材１３のようには交換できないが、吸着能力を有する炭素繊維からなるサブ浄化部材２４を長期間にわたって水中に配置することで、水中の汚濁成分を付着して汚濁水を浄化する。すなわち、サブ浄化手段５により浄化作用がさらに付加されるため、シルトフェンス１０１の浄化能力が向上する。
【００６１】
以上のように、炭素繊維のシート材や網材からなるサブ浄化部材２４は、図１２に示すように、フェンス部２の全面にわたって配置することで最も効果的に汚濁領域の水質を浄化できる。なお、図１２においては、フェンス部２の表面の全面にわたってシート材のサブ浄化部材２４を配置する状態をわかりやすくするために、フェンス部２の左下部分に対向して配置されるサブ浄化部材２４を部分的に除去している。
【００６２】
また、図１１と図１３に示すシルトフェンス１０１は、サブ浄化部材２４をフェンス部２の表面に部分的に配置している。図１１と図１３に示すシルトフェンス１０１は、フェンス部２の表面であって、浄化手段４を配置しない領域において、サブ浄化部材２４を配置している。
【００６３】
図１１に示すシルトフェンス１０１は、浄化手段４をフェンス部２の上端部に左右方向に延長して配置しているので、シート状のサブ浄化部材２４を、フェンス部２の上下の中間部に左右方向に延長して帯状に配置している。図１１のサブ浄化部材２４は、フェンス部２の左右の両端にわたって配置している。ただ、フェンス部の左右に延長して配置されるサブ浄化部材は、フェンス部の左端部や右端部を除く部分に配置することも、中間部分のみに配置することもできる。また、左右方向に延長して配置されるサブ浄化部材は、上下方向に複数列に離間して配置することもできる。このシルトフェンスは、設置場所の汚濁状況に応じて、例えば、水面付近をより浄化したい場合には、フェンス部の上部に帯状にサブ浄化部材を配置し、水底付近をより浄化したい場合には、フェンス部の下部に帯状にサブ浄化部材を配置することで、特定の場所を集中的に浄化することもできる。
【００６４】
また、図１３に示すシルトフェンス１０１は、上下方向に配置された浄化手段４を左右方向に離間して複数列に配置しているので、これ等の浄化手段４の間に位置して、シート状のサブ浄化部材２４をフェンス部２の上下方向に延長して配置している。図のサブ浄化部材２４は、フェンス部２の上端から下端にわたって配置している。ただ、フェンス部の上下に延長して配置されるサブ浄化部材は、フェンス部の上端部や下端部を除く部分に配置することも、中間部分のみに配置することもできる。以上のように、フェンス部に部分的にサブ浄化部材２４を設ける構造は、使用するサブ浄化部材２４の面積を少なくして低コストにしながら、シルトフェンス１０１の浄化作用を向上できる。図１３のシルトフェンス１０１は、上下方向に延長されたサブ浄化部材２４を左右方向に離間して配置している。このシルトフェンスは、左右に離間して配置されるサブ浄化部材２４の左右幅（Ｓ）と間隔（Ｋ）とを種々に変更してシルトフェンス１０１の浄化能力を調整できる。
【００６５】
さらに、シルトフェンス１０１は、炭素繊維のシート材からなるサブ浄化部材２４を厚くして十分な強度を実現できる場合には、フェンス部２自体を炭素繊維のシート材で構成することもできる。すなわち、フェンス部２として、前述のプラスチック繊維で製造された織物シートや編物シート、あるいはプラスチックシートからなるシート材に代わって、炭素繊維のシート材からなるサブ浄化部材２４を単独で使用することもできる。このシルトフェンス１０１は、周辺水域側の水質を浄化するだけでなく、周辺水域の外側における水質も浄化できる。
【００６６】
以上のサブ浄化手段５を備えるシルトフェンス１０１は、汚濁水域から除去された後、サブ浄化部材２４を水洗いすることで再使用できる。使用後のシルトフェンス１０１は、サブ浄化部材２４を構成する炭素繊維の表面に吸着した汚物やシルトが付着している。このサブ浄化部材２４も、前述の浄化部材１３と同様に、水洗いによって汚れ成分が除去される。汚れ成分が除去されたサブ浄化部材２４は、汚物の吸着力が改善されて、再利用される。すなわち、シルトフェンス１０１は、サブ浄化部材２４を交換することなく再利用できる。このように、サブ浄化部材２４再利用するシルトフェンス１０１は、コストを低減できる。
【産業上の利用可能性】
【００６７】
本発明のシルトフェンスは、海、河川、湖沼、池、ダム等の沿岸や水底の土木工事の周辺水域において、工事に伴って発生する汚濁が外部の水域に拡散されるのを防止し、かつ、工事領域で発生する汚濁を速やかに浄化できるシルトフェンスとして好適に使用できる。
【符号の説明】
【００６８】
１０１…シルトフェンス
１…フロート部
２…フェンス部
３…ウェイト部
４…浄化手段
５…サブ浄化手段
１１…浮き部材
１２…カバー部
１３…浄化部材
１３Ａ…紐状体
１４…固定具
１４Ａ…可動片
１５…浄化ユニット
１６…連結部
１７…移送線材
１７Ａ…延長部
１７Ｂ…延長部
１８…滑車
１８Ａ…嵌入溝
１９…連結リング
２０…回転軸
２１…滑車カバー
２２…吊り下げバンド
２３…リング
２４…サブ浄化部材
３１…サブフロート
３２…アンカー
３３…連結線材
３４…アンカーワイヤー
５１…工事領域
５２…周辺水域
【図１】
0006491483.tif 000002
【図２】
0006491483.tif 000003
【図３】
0006491483.tif 000004
【図４】
0006491483.tif 000005
【図５】
0006491483.tif 000006
【図６】
0006491483.tif 000007
【図７】
0006491483.tif 000008
【図８】
0006491483.tif 000009
【図９】
0006491483.tif 000010
【図１０】
0006491483.tif 000011
【図１１】
0006491483.tif 000012
【図１２】
0006491483.tif 000013
【図１３】
0006491483.tif 000014